(57)【要約】【課題】通気口から雨水が浸入することがない瓦用野地面換気ユニット、また野地板への通気口の形成が容易である瓦用野地面換気ユニットの施工方法を提供すること。【解決手段】野地板１との間に所定空間を形成する上面板材１０と、上面板材１０の前端から下方に延出させた前面板材２０と、上面板材１０の後端から下方に延出させた後面板材３０と、上面板材１０の両側端からそれぞれ下方に延出させた一対の側面板材４０と、後面板材３０の下端から後方に延出させて野地板１に当接させる後方当接板材５０と、一対の側面板材４０の下端から側方に延出させて野地板１に当接させる一対の側方当接板材６０とを有し、上面板材１０の前端１２側の上前面１０Ｆに、切り起こしによる切り起こし上面開口１１を形成し、上面板材１０の後端１３側の上後面１０Ｒを、切り起こし上面開口１１を形成しない覆い面とし、覆い面の下方に通気口５を配置することを特徴とする。【選択図】        図１
2019178533.tif 000002
【特許請求の範囲】
【請求項１】
建造物の屋根の野地板に、瓦を係止する複数の桟木が取り付けられ、
前記野地板に通気口を形成し、
前記通気口より高い位置にある前記桟木と、前記通気口より低い位置にある前記桟木との間で、
前記瓦と前記野地板との間に配設され、
前記通気口を覆う瓦用野地面換気ユニットであって、
前記野地板との間に所定空間を形成する上面板材と、
前記上面板材の前端から下方に延出させた前面板材と、
前記上面板材の後端から下方に延出させた後面板材と、
前記上面板材の両側端からそれぞれ下方に延出させた一対の側面板材と、
前記後面板材の下端から後方に延出させて前記野地板に当接させる後方当接板材と、
一対の前記側面板材の下端から側方に延出させて前記野地板に当接させる一対の側方当接板材と
を有し、
前記上面板材の前記前端側の上前面に、切り起こしによる切り起こし上面開口を形成し、
前記上面板材の前記後端側の上後面を、前記切り起こし上面開口を形成しない覆い面とし、
前記覆い面の下方に前記通気口を配置する
ことを特徴とする瓦用野地面換気ユニット。
【請求項２】
前記前面板材の下端には、前記野地板との間に隙間を形成する前面水抜きスリットを設けた
ことを特徴とする請求項１に記載の瓦用野地面換気ユニット。
【請求項３】
前記後方当接板材には、前記通気口の幅と同一寸法の開口マーキングガイドを設けた
ことを特徴とする請求項１又は請求項２に記載の瓦用野地面換気ユニット。
【請求項４】
前記後方当接板材の両端部には、後方への延出寸法が長い一対の耳面を設け、
前記開口マーキングガイドを、一対の前記耳面の間に設けた
ことを特徴とする請求項３に記載の瓦用野地面換気ユニット。
【請求項５】
一対の前記耳面の間に、位置決め突片を設け、
前記位置決め突片は、前記後方当接板材に重ねて設けられるとともに、一部を折り曲げ可能に形成されている
ことを特徴とする請求項４に記載の瓦用野地面換気ユニット。
【請求項６】
前記位置決め突片の外方側端から前記耳面の内方側端までの寸法を、前記耳面の幅寸法より小さくした
ことを特徴とする請求項５に記載の瓦用野地面換気ユニット。
【請求項７】
請求項３記載の瓦用野地面換気ユニットの施工方法であって、
前記前面板材を、前記通気口より低い前記位置にある前記桟木に当接させた状態で、前記開口マーキングガイドを用いて前記通気口の位置情報をマーキングするマーキング工程と、
前記マーキング工程の後に、マーキングされた前記位置情報を基に前記通気口を形成する通気口形成工程と、
前記通気口形成工程の後に、前記通気口の上方に前記覆い面を位置させるユニット位置決め工程と、
前記ユニット位置決め工程の後に、前記後方当接板材及び一対の前記側方当接板材を前記野地板に取り付ける取付工程と
を有する
ことを特徴とする瓦用野地面換気ユニットの施工方法。
【請求項８】
請求項５記載の瓦用野地面換気ユニットの施工方法であって、
前記前面板材を、前記通気口より低い前記位置にある前記桟木に当接させた状態で、前記開口マーキングガイドを用いて前記通気口の位置情報をマーキングするマーキング工程と、
前記マーキング工程の後に、マーキングされた前記位置情報を基に前記通気口を形成する通気口形成工程と、
前記マーキング工程の後に、前記位置決め突片を折り曲げる位置決め突片準備工程と、
前記通気口形成工程の後に、折り曲げられた前記位置決め突片を前記通気口に位置させ、前記通気口の上方に前記覆い面を位置させるユニット位置決め工程と、
前記ユニット位置決め工程の後に、前記後方当接板材及び一対の前記側方当接板材を前記野地板に取り付ける取付工程と
を有する
ことを特徴とする瓦用野地面換気ユニットの施工方法。
【発明の詳細な説明】
【技術分野】
【０００１】
本発明は、建造物の屋根面に配置される瓦用野地面換気ユニット及び瓦用野地面換気ユニットの施工方法に関する。
【背景技術】
【０００２】
特許文献１は、それぞれの桟木の間で、瓦と野地板との間に配設する屋根用換気ユニットを提案している。この屋根用換気ユニットは、箱形の本体と、本体の上面の高さを越える止水板とを備えており、止水板の両側を開放している。
【先行技術文献】
【特許文献】
【０００３】
【特許文献１】特開２０１２−６７５４９号公報
【発明の概要】
【発明が解決しようとする課題】
【０００４】
特許文献１による屋根用換気ユニットでは、ユニットの両側が開放されているため、瓦の隙間から瓦と野地板との間に流れ込む雨水がユニット内に浸入しやすい。
【０００５】
そこで本発明は、通気口から雨水が浸入することがない瓦用野地面換気ユニットを提供することを目的とする。
また本発明は、野地板への通気口の形成が容易であり施工性に優れる瓦用野地面換気ユニットの施工方法を提供することを目的とする。
【課題を解決するための手段】
【０００６】
請求項１記載の本発明の瓦用野地面換気ユニット１００は、建造物の屋根の野地板１に、瓦２を係止する複数の桟木３、４が取り付けられ、前記野地板１に通気口５を形成し、前記通気口５より高い位置にある前記桟木３と、前記通気口５より低い位置にある前記桟木４との間で、前記瓦２と前記野地板１との間に配設され、前記通気口５を覆う瓦用野地面換気ユニット１００であって、前記野地板１との間に所定空間を形成する上面板材１０と、前記上面板材１０の前端１２から下方に延出させた前面板材２０と、前記上面板材１０の後端１３から下方に延出させた後面板材３０と、前記上面板材１０の両側端１４からそれぞれ下方に延出させた一対の側面板材４０と、前記後面板材３０の下端から後方に延出させて前記野地板１に当接させる後方当接板材５０と、一対の前記側面板材４０の下端から側方に延出させて前記野地板１に当接させる一対の側方当接板材６０とを有し、前記上面板材１０の前記前端１２側の上前面１０Ｆに、切り起こしによる切り起こし上面開口１１を形成し、前記上面板材１０の前記後端１３側の上後面１０Ｒを、前記切り起こし上面開口１１を形成しない覆い面とし、前記覆い面の下方に前記通気口５を配置することを特徴とする。
請求項２記載の本発明は、請求項１に記載の瓦用野地面換気ユニット１００において、前記前面板材２０の下端には、前記野地板１との間に隙間を形成する前面水抜きスリット２１を設けたことを特徴とする。
請求項３記載の本発明は、請求項１又は請求項２に記載の瓦用野地面換気ユニット１００において、前記後方当接板材５０には、前記通気口５の幅と同一寸法の開口マーキングガイド５２を設けたことを特徴とする。
請求項４記載の本発明は、請求項３に記載の瓦用野地面換気ユニット１００において、前記後方当接板材５０の両端部には、後方への延出寸法が長い一対の耳面５１を設け、前記開口マーキングガイド５２を、一対の前記耳面５１の間に設けたことを特徴とする。
請求項５記載の本発明は、請求項４に記載の瓦用野地面換気ユニット１００において、一対の前記耳面５１の間に、位置決め突片７０を設け、前記位置決め突片７０は、前記後方当接板材５０に重ねて設けられるとともに、一部を折り曲げ可能に形成されていることを特徴とする。
請求項６記載の本発明は、特徴とする請求項５に記載の瓦用野地面換気ユニット１００において、前記位置決め突片７０の外方側端７１から前記耳面５１の内方側端５３までの寸法Ｌａを、前記耳面５１の幅寸法Ｌｂより小さくしたことを特徴とする。
請求項７記載の本発明は、請求項３記載の瓦用野地面換気ユニット１００の施工方法であって、前記前面板材２０を、前記通気口５より低い前記位置にある前記桟木４に当接させた状態で、前記開口マーキングガイド５２を用いて前記通気口５の位置情報５２ａ、５２ｂをマーキングするマーキング工程と、前記マーキング工程の後に、マーキングされた前記位置情報５２ａ、５２ｂを基に前記通気口５を形成する通気口５形成工程と、前記通気口５形成工程の後に、前記通気口５の上方に前記覆い面（上後面１０Ｒ）を位置させるユニット位置決め工程と、前記ユニット位置決め工程の後に、前記後方当接板材５０及び一対の前記側方当接板材６０を前記野地板１に取り付ける取付工程とを有することを特徴とする。
請求項８記載の本発明は、請求項５記載の瓦用野地面換気ユニット１００の施工方法であって、前記前面板材２０を、前記通気口５より低い前記位置にある前記桟木４に当接させた状態で、前記開口マーキングガイド５２を用いて前記通気口５の位置情報５２ａ、５２ｂをマーキングするマーキング工程と、前記マーキング工程の後に、マーキングされた前記位置情報５２ａ、５２ｂを基に前記通気口５を形成する通気口５形成工程と、前記マーキング工程の後に、前記位置決め突片７０を折り曲げる位置決め突片７０準備工程と、前記通気口５形成工程の後に、折り曲げられた前記位置決め突片７０を前記通気口５に位置させ、前記通気口５の上方に前記覆い面（上後面１０Ｒ）を位置させるユニット位置決め工程と、前記ユニット位置決め工程の後に、前記後方当接板材５０及び一対の前記側方当接板材６０を前記野地板１に取り付ける取付工程とを有することを特徴とする。
【発明の効果】
【０００７】
本発明の瓦用野地面換気ユニットによれば、桟木の間で瓦と野地板との間では、瓦と上面板材との間に雨水が浸入することが少ないため、上面板材に切り起こし上面開口を形成することで、上面板材と野地板との間の所定空間に雨水が浸入することはほとんどなく、仮にこの所定空間に雨水が浸入しても、切り起こし上面開口から侵入した雨水が通気口に向けて流れることはなく、通気口から雨水が浸入することがない。
また本発明の瓦用野地面換気ユニットの施工方法によれば、野地板への通気口の形成が容易であり施工性に優れている。
【図面の簡単な説明】
【０００８】
【図１】本発明の一実施例による瓦用野地面換気ユニットの施工状態を示す側断面図
【図２】同瓦用野地面換気ユニットを示す斜視図
【図３】同瓦用野地面換気ユニットの要部拡大図
【図４】同瓦用野地面換気ユニットの施工方法を示す図
【図５】図４（ｄ）の後の同瓦用野地面換気ユニットの施工方法を示す図
【発明を実施するための形態】
【０００９】
本発明の第１の実施の形態による瓦用野地面換気ユニットは、野地板との間に所定空間を形成する上面板材と、上面板材の前端から下方に延出させた前面板材と、上面板材の後端から下方に延出させた後面板材と、上面板材の両側端からそれぞれ下方に延出させた一対の側面板材と、後面板材の下端から後方に延出させて野地板に当接させる後方当接板材と、一対の側面板材の下端から側方に延出させて野地板に当接させる一対の側方当接板材とを有し、上面板材の前端側の上前面に、切り起こしによる切り起こし上面開口を形成し、上面板材の後端側の上後面を、切り起こし上面開口を形成しない覆い面とし、覆い面の下方に通気口を配置するものである。本実施の形態によれば、桟木の間で瓦と野地板との間では、瓦と上面板材との間に雨水が浸入することが少ないため、前面板材、後面板材、及び側面板材ではなく、上面板材に切り起こし上面開口を形成することで、上面板材と野地板との間の所定空間に雨水が浸入することはほとんどなく、仮にこの所定空間に雨水が浸入しても、切り起こし上面開口から侵入した雨水が通気口に向けて流れることはなく、通気口から雨水が浸入することがない。
【００１０】
本発明の第２の実施の形態は、第１の実施の形態による瓦用野地面換気ユニットにおいて、前面板材の下端には、野地板との間に隙間を形成する前面水抜きスリットを設けたものである。本実施の形態によれば、切り起こし上面開口から上面板材と野地板との間の所定空間に侵入した雨水を前面水抜きスリットから流出させることができる。
【００１１】
本発明の第３の実施の形態は、第１又は第２の実施の形態による瓦用野地面換気ユニットにおいて、後方当接板材には、通気口の幅と同一寸法の開口マーキングガイドを設けたものである。本実施の形態によれば、幅寸法を間違えることなく通気口を形成することができ、施工性に優れている。
【００１２】
本発明の第４の実施の形態は、第３の実施の形態による瓦用野地面換気ユニットにおいて、後方当接板材の両端部には、後方への延出寸法が長い一対の耳面を設け、開口マーキングガイドを、一対の耳面の間に設けたものである。本実施の形態によれば、一対の耳面の間に開口マーキングガイドを設けることで幅方向の寸法のマーキング間違いをなくすことができる。
【００１３】
本発明の第５の実施の形態は、第４の実施の形態による瓦用野地面換気ユニットにおいて、一対の耳面の間に、位置決め突片を設け、位置決め突片は、後方当接板材に重ねて設けられるとともに、一部を折り曲げ可能に形成されているものである。本実施の形態によれば、位置決め突片によって通気口への位置決めを正確に行え、施工性に優れている。
【００１４】
本発明の第６の実施の形態は、第５の実施の形態による瓦用野地面換気ユニットにおいて、位置決め突片の外方側端から耳面の内方側端までの寸法を、耳面の幅寸法より小さくしたものである。本実施の形態によれば、通気口の幅方向へのずれが生じても、通気口が側面板材より外方に位置することはなく、施工ミスによる通気口からの雨水の浸入が生じることがない。
【００１５】
本発明の第７の実施の形態は、第３の実施の形態による瓦用野地面換気ユニットの施工方法において、前面板材を、通気口より低い位置にある桟木に当接させた状態で、開口マーキングガイドを用いて通気口の位置情報をマーキングするマーキング工程と、マーキング工程の後に、マーキングされた位置情報を基に通気口を形成する通気口形成工程と、通気口形成工程の後に、通気口の上方に覆い面を位置させるユニット位置決め工程と、ユニット位置決め工程の後に、後方当接板材及び一対の側方当接板材を野地板に取り付ける取付工程とを有するものである。本実施の形態によれば、通気口の形成が容易であり施工性に優れている。
【００１６】
本発明の第８の実施の形態は、第５の実施の形態による瓦用野地面換気ユニットの施工方法において、前面板材を、通気口より低い位置にある桟木に当接させた状態で、開口マーキングガイドを用いて通気口の位置情報をマーキングするマーキング工程と、マーキング工程の後に、マーキングされた位置情報を基に通気口を形成する通気口形成工程と、マーキング工程の後に、位置決め突片を折り曲げる位置決め突片準備工程と、通気口形成工程の後に、折り曲げられた位置決め突片を通気口に位置させ、通気口の上方に覆い面を位置させるユニット位置決め工程と、ユニット位置決め工程の後に、後方当接板材及び一対の側方当接板材を野地板に取り付ける取付工程とを有するものである。本実施の形態によれば、通気口の形成及び位置決めが容易であり、施工性に優れている。
【実施例】
【００１７】
以下本発明の一実施例による瓦用野地面換気ユニットについて説明する。
図１は本実施例による瓦用野地面換気ユニットの施工状態を示す側断面図である。
本実施例による瓦用野地面換気ユニット１００は、建造物の屋根の野地板１に、瓦２を係止する複数の桟木３、４が取り付けられ、野地板１に通気口５を形成し、通気口５より高い位置にある桟木３と、通気口５より低い位置にある桟木４との間で、瓦２と野地板１との間に配設され、通気口５を覆う。
【００１８】
図２は同瓦用野地面換気ユニットを示す斜視図であり、図２（ａ）は同瓦用野地面換気ユニットを表面から見た斜視図、図２（ｂ）は同瓦用野地面換気ユニットの図２（ａ）とは異なる方向で表面から見た斜視図、図２（ｃ）は同瓦用野地面換気ユニットを裏面から見た斜視図、図２（ｄ）は同瓦用野地面換気ユニットの図２（ｃ）とは異なる方向で裏面から見た斜視図である。
瓦用野地面換気ユニット１００は、野地板１との間に所定空間を形成する上面板材１０と、上面板材１０の前端１２から下方に延出させた前面板材２０と、上面板材１０の後端１３から下方に延出させた後面板材３０と、上面板材１０の両側端１４からそれぞれ下方に延出させた一対の側面板材４０と、後面板材３０の下端から後方に延出させて野地板１に当接させる後方当接板材５０と、一対の側面板材４０の下端から側方に延出させて野地板１に当接させる一対の側方当接板材６０とを有している。
上面板材１０の前端１２側の上前面１０Ｆには、切り起こしによる切り起こし上面開口１１を形成し、上面板材１０の後端１３側の上後面１０Ｒを、切り起こし上面開口１１を形成しない覆い面としている。施工時には、覆い面（上後面１０Ｒ）の下方に通気口５を配置する（図４（ｄ）参照）。
後方当接板材５０の両端部には、後方への延出寸法が長い一対の耳面５１を設けている。一対の耳面５１の間には、通気口５の幅と同一寸法の開口マーキングガイド５２を設けている。一対の耳面５１の間には、位置決め突片７０を設けている。位置決め突片７０は、後方当接板材５０に重ねて設けている。
【００１９】
図３は同瓦用野地面換気ユニットの要部拡大図であり、図３（ａ）は同瓦用野地面換気ユニットの前面板材を示す要部拡大図、図３（ｂ）は同瓦用野地面換気ユニットの位置決め突片を示す要部拡大図、図３（ｃ）は同瓦用野地面換気ユニットの位置決め突片の一部を折り曲げた状態を示す要部拡大図である。
図３（ａ）に示すように、前面板材２０の下端には、野地板１との間に隙間を形成する前面水抜きスリット２１を設けている。前面水抜きスリット２１を設けることで、切り起こし上面開口１１から上面板材１０と野地板１との間の所定空間に侵入した雨水を前面水抜きスリット２１から流出させることができる。
図３（ｂ）に示すように、位置決め突片７０の外方側端７１から耳面５１の内方側端５３までの寸法Ｌａを、耳面５１の幅寸法Ｌｂより小さくしている。
図３（ｃ）に示すように、位置決め突片７０は、開口マーキングガイド５２を形成する位置にある後方当接板材５０に重ねて設けられ、更に前面板材２０の方向に延出させている。施工時には、位置決め突片７０は、更に前面板材２０の方向に延出させている部分を通気口５の方向に折り曲げ、折り曲げた部分を通気口５０に位置させて使用する。
位置決め突片７０の外方側端７１から耳面５１の内方側端５３までの寸法Ｌａを、耳面５１の幅寸法Ｌｂより小さくすることで、施工時に、位置決め突片７０の折り曲げた部分を通気口５０に位置させて使用する際に、通気口５の幅方向へのずれが生じても、通気口５が側面板材４０より外方に位置することはなく、施工ミスによる通気口５からの雨水の浸入が生じることがない。
【００２０】
図４は同瓦用野地面換気ユニットの施工方法を示す図である。
図４（ａ）に示すように、前面板材２０を、通気口５より低い位置にある桟木４に当接させて瓦用野地面換気ユニット１００を野地板１に載置する。この状態で、開口マーキングガイド５２を用いて通気口５の位置情報５２ａをマーキングする（マーキング工程）。
開口マーキングガイド５２は、一対の耳面５１の間に設けているので、位置情報５２ａをマーキングするにあたって、幅方向の寸法のマーキング間違いをなくすことができる。
位置情報５２ａをマーキングした後に、瓦用野地面換気ユニット１００を野地板１から取り除き、図４（ｂ）に示すように、位置情報５２ａを基準にして通気口５を開口するためのその他の位置情報５２ｂをマーキングする。
マーキング工程の後に、図４（ｃ）に示すように、マーキングされた位置情報５２ａ、５２ｂを基に通気口５を形成する（通気口形成工程）。
一方、マーキング工程の後に、図３（ｃ）に示すように、位置決め突片７０を折り曲げる（位置決め突片準備工程）。
通気口形成工程及び位置決め突片準備工程の後に、図４（ｄ）に示すように、折り曲げられた位置決め突片７０を通気口５に位置させ、通気口５の上方に覆い面１０Ｒを位置させる（ユニット位置決め工程）。
そして、ユニット位置決め工程の後に、後方当接板材５０及び一対の側方当接板材６０を野地板１に取り付ける（取付工程）。
このように、本実施例の施工方法によれば、通気口５の形成及び通気口５に対する瓦用野地面換気ユニット１００の位置決めが容易であり、施工性に優れている。
【００２１】
図５は図４（ｄ）の後の同瓦用野地面換気ユニットの施工方法を示す図である。
図５（ａ）に示すように、瓦用野地面換気ユニット１００を野地板１に取り付けた状態では、前面板材２０と桟木４との間には、瓦２の尻剣が挿入可能な隙間を形成している。前面板材２０と桟木４との間に形成する隙間は、開口マーキングガイド５２の後方への延出寸法で設定しており、この隙間を最小限に設定することで、前面板材２０を桟木４に近接させることができ、軒側からの雨水の浸入を防ぐことができる。
図５（ｂ）に示すように、桟木４に、瓦２の尻剣を引っ掛けることで、瓦２を桟木４に配置する。
そして、図５（ｃ）に示すように、桟木３に、瓦２の尻剣を引っ掛けることで、瓦２を桟木３に配置する。切り起こし上面開口１１を形成している上前面１０Ｆには、瓦２が施工されるため、雨水の浸入が防止される。
桟木３、４の間で瓦２と野地板１との間では、瓦２と上面板材１０との間に雨水が浸入することが少ないため、前面板材２０、後面板材３０、及び側面板材４０ではなく、上面板材１０に切り起こし上面開口１１を形成することで、上面板材１０と野地板１との間の所定空間に雨水が浸入することはほとんどなく、上面板材１０の下方に止水箱を設ける必要はなく、更には通気口５に捨水切を設ける必要はない。
また、仮に上面板材１０と野地板１との間の所定空間に雨水が浸入しても、前面水抜きスリット２１から雨水を流出させることができ、切り起こし上面開口１１から侵入した雨水が通気口５に向けて流れることはなく、通気口５から雨水が浸入することがない。
【産業上の利用可能性】
【００２２】
本発明は、野地板に複数の桟木が取り付けられ、それぞれの桟木の間に瓦が係止される屋根を有する建造物に利用される。
【符号の説明】
【００２３】
１  野地板
２  瓦
３、４  桟木
５  通気口
１０  上面板材
１０Ｆ  上前面
１０Ｒ  上後面（覆い面）
１１  切り起こし上面開口
１２  前端
１３  後端
１４  両側端
２０  前面板材
２１  面水抜きスリット
３０  後面板材
４０  側面板材
５０  後方当接板材
５１  耳面
５２  開口マーキングガイド
５２ａ、５２ｂ  位置情報
５３  内方側端
６０  側方当接板材
７０  位置決め突片
７１  外方側端
１００  瓦用野地面換気ユニット
Ｌａ  寸法
Ｌｂ  幅寸法
【図１】
2019178533.tif 000003
【図２】
2019178533.tif 000004
【図３】
2019178533.tif 000005
【図４】
2019178533.tif 000006
【図５】
2019178533.tif 000007